(57)【特許請求の範囲】
【請求項１】
電気通信ネットワークの移動局に対する呼の履歴情報を追跡する方法であって、
第１の移動局交換センタのビジタ位置登録に登録するための第１のメッセージを移動局から該第１の移動局交換センタに送信する段階と、
該移動局に関連する呼の履歴情報を要求するための第２のメッセージを該第１の移動局交換センタからネットワーク・ノードに送信する段階と、
該呼の履歴情報を該第１の移動局交換センタに転送するように第２の移動局交換センタに指示するための第３のメッセージを該ネットワーク・ノードから、該移動局を取り扱う第２の移動局交換センタへ送信する段階と、
最後の入来呼データと最後の送出呼データとを含む該呼の履歴情報を含む第４のメッセージを該第２の移動局交換センタから該第１の移動局交換センタへ送信する段階とからなることを特徴とする方法。
【請求項２】
請求項１に記載の方法において、該ネットワーク・ノードは該移動局のホーム位置登録であることを特徴とする方法。
【請求項３】
請求項１に記載の方法において、該ネットワーク・ノードが、インテリジェント・ネットワークであることを特徴とする方法。
【請求項４】
電気通信ネットワークで呼の履歴情報を追跡する方法であって、
移動局を第１の移動局交換センタに登録する段階と、
該第１の移動局交換センタから、移動局情報を要求しているネットワーク・ノードに登録メッセージを送信する段階と、
該ネットワーク・ノードから該第１の移動局交換センタにおけるビジタ位置登録へ該移動局情報を送信する段階と、
該移動局から該第１の移動局交換センタのメモリへ被呼番号ディジットの第１の集合を送信する段階と、
該移動局と、該被呼番号ディジットの第１の集合に対応する第１の被呼番号との間に第１の通信経路を確立する段階と、
第２の移動局交換センタにおいて移動局を登録したことに応動して、第２の移動局交換センタから該ネットワーク・ノードへ該移動局情報に対する要求を送信する段階と、
該ネットワーク・ノードから該第１の移動局交換センタへ該移動局情報に対する要求を送信する段階と、
該第１の移動局交換センタから該第２の移動局交換センタへ該移動局情報を送信する段階とからなることを特徴とする方法。
【請求項５】
請求項４に記載の方法において、該第１の移動交換センタから該第２の移動交換センタへ移動局情報を送信する段階が、
該ネットワーク・ノードから該第１の移動局交換センタへ移動局情報に対する要求を送信する段階と、
該第１の移動局交換センタから該ネットワーク・ノードへ該移動局情報を送信する段階と、
該ネットワーク・ノードから該第２の移動局交換センタへ該移動局情報を送信する段階とからなることを特徴とする方法。
【請求項６】
請求項５に記載の方法において、さらに、
該第１の移動局交換センタから該移動局情報を削除する段階からなることを特徴とする方法。
【請求項７】
電気通信ネットワークで移動局に対する呼の履歴情報を追跡する装置であって、
第１および第２の移動局交換センタで該移動局を登録する手段を有する移動局と、
該第１の移動局交換センタに該移動局が登録されている間に、ビジタ位置登録と該移動局に対する呼の履歴情報とを記憶する手段を有する第１の移動局交換センタと、
該第２の移動局交換センタに該移動局が登録されている間に、ビジタ位置登録と該移動局に対する呼の履歴情報とを記憶する手段と、該移動局がその登録を該第１の移動局交換センタから該第２の移動局交換センタへ転送するときには、該第１の移動局交換センタから該第２の移動局交換センタへ転送されるべき該移動局に対するビジタ位置登録と呼の履歴情報とに対する要求をネットワーク・ノードへ送信する手段とを有する第２の移動局交換センタとからなることを特徴とする装置。
【請求項８】
請求項７に記載の装置において、該ネットワーク・ノードは、無線インテリジェント・ネットワーク・ノードであることを特徴とする装置。
【請求項９】
請求項７に記載の装置において、該ネットワーク・ノードは、ホーム位置登録であることを特徴とする装置。
【請求項１０】
電気通信ネットワークで移動局に対する呼の履歴情報を追跡する装置であって、
該移動局からメッセージを受信する手段と、
該移動局を第１および第２の移動局交換センタに登録する手段と、
該移動局が該第１の移動局交換センタに登録されている間、該移動局に対するビジタ位置登録と呼の履歴情報とを記憶する手段を有する第１の移動局交換センタと、
該移動局が該第２の移動局交換センタに登録されている間、該移動局に対するビジタ位置登録と呼の履歴情報とを記憶する手段と、該移動局がその登録を該第１の移動局交換センタから該第２の移動局交換センタへ転送したことに応動して、該第１の移動局交換センタから該第２の移動局交換センタへ転送されるべき該移動局に対するビジタ位置登録と呼の履歴情報とに対する要求をネットワーク・ノードへ送信する手段を有する第２の移動局交換センタとからなることを特徴とする装置。
【請求項１１】
請求項１０に記載の装置において、該ネットワーク・ノードは、無線インテリジェント・ネットワーク・ノードであることを特徴とする装置。
【請求項１２】
請求項１０に記載の装置において、該ネットワーク・ノードは、ホーム位置登録であることを特徴とする装置。
【発明の詳細な説明】
【０００１】
【発明の分野】
本発明は、ワイヤ・ライン・ユーザ(wireline user)の呼の履歴を追跡し、そして動的ライン割当てが使用される場合に新しい交換機のところでの上記呼の履歴の更新に関する。本発明は、また移動局ユーザが移動したときに、呼の履歴が移動交換センタ間で転送されたときには移動局ユーザにも適用される。
【０００２】
【発明の背景】
現在、加入者が使用したライン・ポートからの前の呼の履歴を入力データとして使用する通信プロバイダは、いくつかのサービスを提供している。これらのサービスの例としては、自動コールバック、自動再呼出、および顧客発信トレース等がある。自動コールバック・サービスにより、ユーザはユーザを呼出した最後の相手に呼を行うことができる。自動再呼出サービスにより、ユーザはユーザが最後の呼を行った番号に呼を行うことができる。また、顧客発信追跡により、ユーザは、最後の入来呼を自動的に追跡するように要求することができる。このようなタイプのサービスの場合には、ユーザの呼の履歴の保存は、特定のライン・ポートに関連する呼の履歴を保存することにより行われる。
【０００３】
ユーザ対ライン・ポートに関連する呼の履歴を記憶する必要がある。この記憶は重要である。何故なら、ある種のユーザは、以降の呼に同じライン・ポートを使用することができないからである。これらのユーザとしては、電話局においてライン・グループを通してサービスを受ける移動局加入者、少ない数のポート（競合するアクセス・プロバイダの場合には、おそらく経済上の理由から）に対して加入者の数が多い電話局において、ライン・グループを通してサービスを受けるワイヤ・ライン加入者、ワイヤ・ライン電話（「公衆」電話を使用している人を識別するスマート・カード）を通しての個人移動サービス、およびライン・ポートを使用しない移動交換センタの移動局加入者等がある。それ故、ライン・ポートではなく、加入者に関連する呼の履歴を追跡し、記憶する必要がある。
【０００４】
【概要】
本発明は、呼データをライン・ポートではなく、特定のユーザに関連づける方法および装置を提供する。この呼データは、ある特定の番号に関連する最後の入来呼および最後の出呼を含む。そのため、自動コールバックや自動再呼出、顧客発信追跡のようなサービスを、ユーザが異なる場所で、同じレベルの加入サービスを維持することができるライン・ポートとは別個に実行することができる。
【０００５】
移動局ユーザの場合には、自動コールバック、自動再呼出、および顧客発信追跡は、ホーム移動局交換センタ、および移動中の移動局交換センタのところで実行することができる。移動局ユーザが移動中である場合には、呼の履歴情報により、移動局交換センタを更新するために、少なくとも２つのスキームを使用することができる。第１のスキームは、移動局が移動交換センタに登録した場合のもので、前の移動局交換センタは、新しい移動局交換センタに呼の履歴を送信する。第２のスキームは、移動局が移動局交換センタに登録した場合のもので、ホーム位置登録または、無線インテリジェント・ネットワークは、前の移動局交換センタから呼の履歴情報を入手して、それを新しい移動局交換センタへ送信する。
【０００６】
【発明の詳細な記述】
図１は、ライン・ポートに関連する呼の履歴を含む、従来技術の交換システムのブロック図である。従来技術のシステムの場合には、加入者電話１０は、ツイスト・ペア・ライン１２を通して、交換システム１６に位置するライン・ポート１４に接続している。各ライン・ポート１４は、特定の加入者の電話線１２に接続しており、それと関連を持つ。呼の履歴情報は、交換システムのメモリに記憶され、最後の被呼番号および最後の発呼者番号のような呼の履歴情報を各ライン・ポートＩＤ１８と関連づける。
【０００７】
図２は、インテリジェント・ネットワークを基礎とする呼の履歴を含む、交換システムのブロック図である。加入者の電話２０は、ツイスト・ペア２４を通して、複数のライン・カードまたはポートを含むライン集信機(line concentrator)２２に接続している。ライン集信機２２は、使用頻度の低い加入者ラインを使用頻度の高いチャンネルに接続することができるインタフェースである。他の電話機２６およびライン集信機２２は、ライン・ポート３１および３２のところの交換システム２８に接続している。交換システム２８は、メモリに、ライン・カードまたはポートとは無関係の各電話機の追跡に関する情報を記憶することができる。各交換システム２８は、複数のライン・ポート３０および３１をサポートすることができる。高度インテリジェント・ネットワーク・トリガ３３は、各ラインポート３０に割り当てられる。交換システム２８および他の交換システム３７は、インテリジェント・ネットワーク・ノード３４に接続される。インテリジェント・ネットワーク・ノード３４は、加入者ＩＤ、最後の入来呼ダイアル番号、および最後の出呼ダイアル番号のような呼の履歴情報の転送および記憶を助ける。
【０００８】
例えば、ユーザ３６が、交換システム２８との接続をオフにした場合には、発信トリガおよび着信トリガを通して、インテリジェント・ネットワーク・ノード３４が、特定の加入者に関連する呼の履歴情報を追跡する。他のユーザ２０が交換システム２８にアクセスしようとした場合、交換システム２８のところのユーザ２０は、ユーザ３６が前に使用したライン・ポート３０を使用することができる。インテリジェント・ネットワーク・ノード３４は、ライン・ポートの呼の履歴ではなく、ユーザの呼の履歴を追跡中で、ハードウェアは、交換システム２８を通して最適化される。
【０００９】
図３は、無線インテリジェント・ネットワークを通しての、無線加入者に対する呼の履歴の追跡のブロック図である。移動局ユーザ３８が、基地局４２を通して、移動局交換センタ（Ｍobile Ｓwitching Ｃenter：ＭＳＣ）４０に接続すると、無線インテリジェント・ネットワーク・トリガは、ＭＳＣ４０により無線インテリジェント・ネットワーク・ノード・サービス制御点（ＷＩＮ／ＨＬＲ）４４に送られる。移動局ユーザ３８が移動局交換センタ４０がサービスを終了し、ユーザ３８のサービスを異なるＭＳＣ４６に転送する点に移動した場合には、ＷＩＮ／ＳＣＰ４４は、ホーム位置登録（Ｈome Ｌocation Ｒegister：ＨＬＲ）からＭＳＣ４６への呼の履歴およびすべての追加情報を更新する。この情報は、発信および着信トリガにより、ＷＩＮ／ＳＣＰ４４へ、およびＷＩＮ／ＳＣＰ４４から供給される。
【００１０】
図４は、種々の移動局交換センタへの呼の履歴情報の転送のブロック図である。移動局ユーザがセルラ電話（移動局）５０をオンにすると、登録メッセージが、移動局５０から基地局５２に送られる。一連の基地局がＭＳＣ５４に接続している。
【００１１】
移動局ユーザが電話呼を行うか、受信した場合には、ＭＳＣ５４で呼の履歴情報の更新が行われる。移動局５０がＭＳＣ５４のエリアの外に移動すると、移動局５０は、最も近くて、自分をサポートすることができるＭＳＣ６０に登録する。ＭＳＣ６０は登録メッセージをＷＩＮ／ＳＣＰ５６に送る。
【００１２】
呼の履歴情報を新しいＭＳＣ６０に転送するために、少なくとも２つのスキームが使用される。第１のスキームの場合、ＷＩＮ／ＨＬＲ５６は、第２のＭＳＣ６０にＭＳＣ５４を指定している移動局５０に対する最新のＶＬＲの位置を知らせる。ＭＳＣ６０は、ＭＳＣ５４に対して最新のＶＬＲおよび移動局５０に関連する呼の履歴についての要求を送る。この情報は、ＭＳＣ５４によりＭＳＣ６０に送られ、ＭＳＣ５４は移動局５０に対応するＶＬＲを削除する。
【００１３】
第２のスキームの場合には、ＷＩＮ／ＨＬＲ５６は、第２のＭＳＣ６０のところで、移動局５０に対する新しいＶＬＲを作成する。取消メッセージが、ＷＩＮ／ＨＬＲ５６から第１のＭＳＣ５４に送られる。取消の一部として、ＭＳＣ５４は、ＷＩＮ／ＨＬＲ５６に移動局５０の呼の履歴を送信する。第２のＭＳＣ６０は、ＷＩＮ／ＨＬＲ５６から呼の履歴を含むＶＬＲを受信する。
【００１４】
図５は、呼の発信および着信、並びに呼の履歴情報に関連する、更新のメッセージのフローチャートである。ユーザ１００がＰＳＴＮ１０２の他の相手から入来呼を受信し、その呼が交換機Ｂ１０６に着信する１０３。交換機Ｂ１０６は、インテリジェント・ネットワーク・ノード１０８へ、呼ディジットと一緒に着信メッセージ１０７を送る。インテリジェント・ネットワーク・ノード１０８は、ユーザ１００を呼出した他の相手の電話番号により、呼の履歴情報１１１を更新する。トリガ応答１０９は、インテリジェント・ネットワーク・ノード１０８により、交換機Ｂ１０６に送られる。交換機Ｂ１０６は、呼を着信させる１１０。
【００１５】
ユーザ１００が呼１１２を発信すると、被呼番号１１４と一緒に、発信トリガが、交換機Ｂ１０６により、インテリジェント・ネットワーク・ノード１０８に送られる。インテリジェント・ネットワーク・ノード１０８は、被呼番号１１６により、呼の履歴情報を更新する。インテリジェント・ネットワーク１１６は、交換機Ｂ１０６にトリガ応答を送信し、ＰＳＴＮ１０２上で発信呼１２０が行われる。
【００１６】
図６は、動的ライン割り当てを使用するユーザが新しい交換機のところに移動したときの、自動コールバック・サービスのメッセージのフローチャートである。動的ライン割り当てを使用することにより、特定の組のサービスへの加入者は、異なる場所でこれらのサービスにアクセスする。例えば、家庭で自動コールバック・サービスに加入者している加入者は、仕事で出かけている場合でもこのサービスを受けることができる。図５のユーザ１００が、他の場所で自動コールバック・サービスを要求した場合には、発信信号１２２が交換機Ａ１２４に送られる。交換機Ａ１２４は、インテリジェント・ネットワーク・ノード１０８に、発信トリガ１２６を送信する。インテリジェント・ネットワーク・ノード１０８は、自動コールバック・サービス・コードを認識し、ユーザ１００に対する最後の入来呼ダイアル番号を検索する。インテリジェント・ネットワーク・ノード１０８は、最後の入来呼ダイアル番号１２８と一緒に、トリガ応答を交換機Ａ１２４に送る。交換機Ａ１２４は、最後にダイヤルした番号に発信呼１３０を行う。
【００１７】
図７は、ユーザが新しい交換機のところに移動した場合の、自動再呼出サービスのメッセージのフローチャートである。図７のユーザ１００が他の場所で、自動再呼出サービスを行った場合には、発信信号１３２が交換機Ａ１２４に送られる。交換機Ａ１２４は、インテリジェント・ネットワーク・ノード１０８に、発信トリガ１３４を送信する。インテリジェント・ネットワーク・ノード１０８は、自動再呼出サービス・コードを認識し、ユーザ１００に対する最後の出呼ダイアル番号を検索する。インテリジェント・ネットワーク・ノード１０８は、最後の出呼ダイアル番号１３６と一緒に、トリガ応答を交換機Ａ１２４に送る。交換機Ａ１２４は、最後にダイヤルした番号に発信呼１３８を行う。
【００１８】
図８は、無線ネットワークでの呼の履歴情報の、更新および追跡のメッセージのフローチャートである。移動局ユーザ２００が、ＰＳＴＮ２０２の他の相手から入来呼を受信し、ＭＳＣ２０４に対するその呼を着信させる２０３と、ＭＳＣＢ２０４は、無線インテリジェント・ネットワーク・ノード２０８へ、呼ディジットと一緒に着信メッセージ２０７を送る。無線インテリジェント・ネットワーク・ノード２０８は、ユーザ２００を呼出した他の相手の電話番号により、呼の履歴情報２１１を更新する。トリガ応答２０９は、無線インテリジェント・ネットワーク・ノード２０８により、ＭＳＣＢ２０６に送られる。ＭＳＣ２０６は、呼２１０を着信させる。
【００１９】
ユーザ２００が呼２１２を発信すると、被呼番号２１４と一緒に、発信トリガが、ＭＳＣ  Ｂ２０６により、無線インテリジェント・ネットワーク・ノード２０８に送られる。無線インテリジェント・ネットワーク・ノード２０８は、被呼番号２１６により、呼の履歴情報を更新する。無線インテリジェント・ネットワーク２１６は、ＭＳＣ  Ｂ２０６にトリガ応答を送信し、ＰＳＴＮ２０２上で発信呼２２０が行われる。
【００２０】
図９は、移動局ユーザが他のＭＳＣのところに移動した場合の、自動コールバック・サービスのメッセージのフローチャートである。図８の移動局ユーザ２００が、他の場所で自動コールバック・サービスを要求した場合には、発信メッセージ２２２がＭＳＣ  Ａ２２４に送られる。ＭＳＣ  Ａ２２４は、無線インテリジェント・ネットワーク・ノード２０８に発信トリガ２２６を送信する。無線インテリジェント・ネットワーク・ノード２０８は、自動コールバック・サービス・コードを認識し、ユーザ２００に対する最後の入来呼ダイアル番号を検索する。無線インテリジェント・ネットワーク・ノード２０８は、最後の入来呼ダイアル番号２２８と一緒に、トリガ応答をＭＳＣ  Ａ２２４に送る。ＭＳＣ  Ａ２２４は、最後にダイヤルされた番号に発信呼２３０を行う。
【００２１】
図１０は、移動局ユーザが他のＭＳＣのところに移動した場合の、自動再呼出サービスのメッセージのフローチャートである。図８のユーザ２００が他のＭＳＣのところで自動再呼出サービスを要求した場合には、発信メッセージ２２２がＭＳＣ  Ａ２２４に送られる。ＭＳＣ  Ａ２２４は、無線インテリジェント・ネットワーク・ノード２０８に発信トリガ２２６を送信する。無線インテリジェント・ネットワーク・ノード２０８は、自動再呼出サービス・コードを認識し、ユーザ２００に対する最後の出呼ダイアル番号を検索する。無線インテリジェント・ネットワーク・ノード２０８は、最後の出呼ダイアル番号２２８と一緒に、トリガ応答をＭＳＣ  Ａ２２４に送る。ＭＳＣＡ２２４は、最後にダイヤルされた番号に発信呼２３０を行う。
【００２２】
図１１は、移動局交換センタ／ビジタ位置登録（ＭＳＣ／ＶＬＲ）へ、呼の履歴情報を記憶するためのメッセージのフローチャートである。移動局ユーザ３００が、ＰＳＴＮ３０２上の他の相手から入来呼を受信し、その呼を着信３０３させると、ＭＳＣ／ＶＬＲ  Ｂ３０６は、移動局ユーザ３００に対する呼の履歴情報に、最後の入来呼を記憶する。ＭＳＣ／ＶＬＲ３０６は、移動局ユーザ３００を呼出した他の相手の電話番号により、呼の履歴情報３１１を更新する。ＭＳＣ／ＶＬＲ３０６は、呼３１０を着信させる。
【００２３】
移動局ユーザ３００が呼３１２を発信すると、ＭＳＣ／ＶＬＲ３０６は、被呼番号３１４により、呼の履歴情報を更新する。ＭＳＣ／ＶＬＲ３０６は、ＰＳＴＮ３０２に対して発信呼３１６を行う。
【００２４】
図１２は、呼の履歴情報を他の移動局交換センタに転送するための、第１のスキームのメッセージのフローチャートである。移動局３００が新しいＭＳＣ／ＶＬＲ  Ａ３０４に登録すると、ユーザＩＤ３１７が、移動局からＭＳＣ／ＶＬＲＡ３０４に送られる。ＭＳＣ／ＶＬＲ  Ａ３０４は、登録通知メッセージ３１８をホーム位置登録（ＨＬＲ）３２０に送信する。ＨＬＲ３２０は、ＶＬＲを作成するためのデータおよび移動局３００に対する最後の登録ＶＬＲを含む登録応答３２２で応答する。ＭＳＣ／ＶＬＲ  Ａ３０４は、ＨＬＲ３２０からの命令に基づく呼データ３２４に対する要求をＭＳＣ／ＶＬＲ  Ｂ３０６へ送信する。ＭＳＣ／ＶＬＲ  Ｂ３０６からの呼データ応答メッセージ３２６は、最後の入来呼および出呼データと一緒に、ＭＳＣ／ＶＬＲ  Ａ３０４に送られる。ＭＳＣ／ＶＬＲ  Ａ３０４のところで受信が行われると、ＨＬＲ３２０は、ＭＳＣ／ＶＬＲ
Ｂ３０６に登録取消メッセージを送る。
【００２５】
図１３は、呼の履歴情報を移動局交換センタに転送するための第２のスキームのメッセージのフローチャートである。移動局３００が新しいＭＳＣ／ＶＬＲ  Ａ３０４に登録すると、ユーザＩＤ３３０が、移動局からＭＳＣ／ＶＬＲ  Ａ３０４に送られる。ＭＳＣ／ＶＬＲ  Ａ３０４は、登録通知メッセージ３３２をホーム位置登録（ＨＬＲ）３２０に送信する。ＨＬＲ３２０は、移動局３００に対するＶＬＲを作成するためのデータを含む、登録応答３３２で応答する。ＨＬＲ３２０は、呼データに対する要求３３６をＭＳＣ／ＶＬＲ  Ｂ３０６に送る。ＭＳＣ／ＶＬＲ  Ｂ３０６は、最後の入来呼および出呼を含む呼データ３３８をＨＬＲ３２０に送信する。ＨＬＲ３２０は、このデータをＭＳＣ／ＶＬＲ  Ａ３０４に転送する。ＨＬＲ３２０は、また登録取消しメッセージ３４２をＭＳＣ／ＶＬＲ  Ｂ３０６に送る。
【００２６】
本発明を使用する例示としてのシステムおよび方法を例に挙げて説明してきたが、もちろん、本発明は、これら実施形態に制限されるものではないことを理解されたい。当業者であれば、特に上記説明に基づいて種々の修正を行うことができる。例えば、開示の実施形態の各素子をそれだけで、または他の実施形態の素子と組み合せて使用することができる。
【図面の簡単な説明】
【図１】ライン・ポートに関連する呼の履歴を含む、従来技術の交換システムのブロック図である。
【図２】インテリジェント・ネットワーク・ノードに対する呼の履歴の追跡のブロック図である。
【図３】無線インテリジェント・ネットワーク・ノード・サービス制御点を通しての、無線加入者に対する呼の履歴の追跡のブロック図である。
【図４】種々の移動局交換センタへ呼の履歴情報を転送するためのブロック図である。
【図５】呼発信および着信、およびインテリジェント・ネットワーク・ノードに対する呼の履歴情報の関連更新のメッセージのフローチャートを示す図である。
【図６】動的ライン割り当てを使用するユーザが、新しい交換機に移動した場合の、自動コールバック・サービスのメッセージのフローチャートを示す図である。
【図７】動的ライン割り当てを使用するユーザが、新しい交換機に移動した場合の、自動再呼出サービスのメッセージのフローチャートを示す図である。
【図８】呼発信および着信、および無線インテリジェント・ネットワーク・ノードに対する呼の履歴情報の関連更新のメッセージのフローチャートを示す図である。
【図９】移動局ユーザが他の移動局交換センタへ移動した場合の、自動コールバック・サービスのメッセージのフローチャートを示す図である。
【図１０】移動局ユーザが他の移動局交換センタへ移動した場合の、自動再呼出サービスのメッセージのフローチャートを示す図である。
【図１１】移動局交換センタ／ビジタ位置登録の際の、呼の履歴情報の記憶および更新のメッセージのフローチャートを示す図である。
【図１２】他の移動局交換センタ／ビジタ位置登録へ呼の履歴情報を転送するための第１のスキームのメッセージのフローチャートを示す図である。
【図１３】移動局交換センタ／ビジタ位置登録へ呼の履歴情報を転送するための第２のスキームのメッセージのフローチャートを示す図である。
【図１】
0003757080.tif 000002
【図２】
0003757080.tif 000003
【図３】
0003757080.tif 000004
【図４】
0003757080.tif 000005
【図５】
0003757080.tif 000006
【図６】
0003757080.tif 000007
【図７】
0003757080.tif 000008
【図８】
0003757080.tif 000009
【図９】
0003757080.tif 000010
【図１０】
0003757080.tif 000011
【図１１】
0003757080.tif 000012
【図１２】
0003757080.tif 000013
【図１３】
0003757080.tif 000014